(57)【要約】  【課題】  補強部材を外箱に取り付ける際に、この補強部材が外箱内面に貼付されてある真空断熱パネルを傷つけないようにし、断熱効果が維持できるようにすること。  【解決手段】  補強部材３０の各後部補強部３１の当接片３１Ｂを外箱２１の両側板２１ａ内面に当接させると共に各下部補強部３２の当接片３２Ｂを同じく外箱２１の両側板２１ａ内面に当接させ、また前記各後部補強部３１の固定片３１Ａを裏フランジ２２内面に当接させてビス３３を介して固定すると共に前記各下部補強部３２の固定片３２Ａを下フランジ２３内面に当接させてビス３３を介して固定する際に、前記当接片３１Ｂ上部に形成した切除部３１Ｃにより外箱２１内面に貼付されてある真空断熱パネル２６を避けて補強部材３０を外箱２１に固定できる。  【選択図】  図１
2006097904.tif 000002
【特許請求の範囲】
【請求項１】
開口縁に内側に折り曲げてフランジが形成された外箱と、前記フランジの内面に当接されて前記外箱に固定される補強部材と、内箱と、この内箱と前記外箱との間に充填発泡された発泡断熱材と、冷蔵庫本体側壁を形成する前記内箱と外箱との間に配設された真空断熱パネルとを備えた冷蔵庫において、前記外箱に貼付される前記真空断熱パネルに向けて延びた前記補強部材の側片の上端部を切除したことを特徴とする冷蔵庫。
【請求項２】
開口縁に内側に折り曲げてフランジが形成された外箱と、前記フランジの内面に当接されて前記外箱に固定される補強部材と、内箱と、この内箱と前記外箱との間に充填発泡された発泡断熱材と、冷蔵庫本体側壁を形成する前記内箱と外箱との間に配設された真空断熱パネルとを備えた冷蔵庫において、前記補強部材の前記外箱に接する側片の上端部を切除したことを特徴とする冷蔵庫。
【請求項３】
開口縁に内側に折り曲げてフランジが形成された外箱と、前記フランジの内面に当接されて前記外箱に固定される補強部材と、内箱と、この内箱と前記外箱との間に充填発泡された発泡断熱材と、冷蔵庫本体側壁を形成する前記内箱と外箱との間に配設された真空断熱パネルとを備えた冷蔵庫において、前記補強部材の前記外箱に接する側片の上部を上端部から下方に向かうに従って切除部が少なくなるように斜めに切除したことを特徴とする冷蔵庫。
【請求項４】
後面開口縁及び下端に内側に折り曲げて裏フランジ及び下フランジが形成された外箱と、前記裏フランジ内面及び下フランジ内面に当接されて前記外箱に固定固定片と前記外箱内面に当接される当接片を有する補強部材と、内箱と、この内箱と前記外箱との間に充填発泡された発泡断熱材と、冷蔵庫本体側壁を形成する前記内箱と外箱との間に配設された真空断熱パネルとを備えた冷蔵庫であって、前記補強部材の前記外箱内面に当接される当接片の上部を上端部から下方に向かうに従って切除部が少なくなるように斜めに切除したことを特徴とする冷蔵庫。
【発明の詳細な説明】
【技術分野】
【０００１】
本発明は、開口縁に内側に折り曲げてフランジが形成された外箱と、前記フランジの内面に当接されて前記外箱に固定される補強部材と、内箱と、この内箱と前記外箱との間に充填発泡された発泡断熱材と、冷蔵庫本体側壁を形成する前記内箱と外箱との間に配設された真空断熱パネルとを備えた冷蔵庫に関するものである。
【背景技術】
【０００２】
図３及び図４を参照しながら、従来の冷蔵庫（例えば、特許文献１参照）の断熱箱体について説明する。１は両側板１ａ及び天板１ｂよりなる外箱で、２はこの外箱１の前面開口縁に内側に折り曲げて形成した前面フランジ、３はこの前面フランジ２の裏側に折り返した裏面フランジ、４は前記前面フランジ２と裏面フランジ３とに同位置に連続して設けた穴である。５は合成樹脂材料から形成された内箱である。６は前記裏面フランジ３に連続して裏面フランジ３との間に内箱挿入溝３ａを形成すると共に前記側板１ａ及び天板１ｂとの間にパイプ溝７を形成した後フランジで、パイプ溝７内に露付防止用放熱パイプ８を挿入している。９は前記内箱５の左右にわたって設けられ区画する中仕切で、１０はこの中仕切９に形成されて前記穴部４背面に位置してこの穴部４に合致する中仕切穴である。
【０００３】
１１は前記中仕切穴１０の背面に位置する内箱穴で、１２は中仕切前面に当接されたヒンジでヒンジ穴１３が形成されている。１５は前面部１４が後フランジ６の後面に当接し中仕切９より上方に向かって延出されたコ字状の補強部材である。１６はヒンジ穴１３と前面フランジ２と裏面フランジ３とに設けた穴部４を通り中仕切穴１０にて締めつけ固定されるネジである。１７は内箱８と外箱１間に発泡充填された発泡断熱材である。
１８は冷蔵庫本体の側壁を形成する前記内箱５と外箱１との間に配設された真空断熱材である。真空断熱パネル１８は、断熱性を有するコア材をガス遮断性の高い袋（収納部材）内に収めて真空密封して形成され、極めて断熱性能が高い。
【特許文献１】特許第３５２７５３３号公報
【発明の開示】
【発明が解決しようとする課題】
【０００４】
しかし、断熱性能を高めるために外箱側面の内側（内面）に真空断熱パネルを貼付した場合には、前記補強部材を外箱に取り付ける際に、前記真空断熱パネルに前記補強部材が接触して、この真空断熱パネルの表面を構成するガスバリアフィルムを傷つけ易く、傷つけると真空度が破壊され、断熱効果を薄れさせてしまう。
【０００５】
そこで本発明は、補強部材を外箱に取り付ける際に、この補強部材が外箱内面に貼付されてある真空断熱パネルを傷つけないようにし、断熱効果が維持できるようにすることを目的とする。
【課題を解決するための手段】
【０００６】
このため第１の発明は、開口縁に内側に折り曲げてフランジが形成された外箱と、前記フランジの内面に当接されて前記外箱に固定される補強部材と、内箱と、この内箱と前記外箱との間に充填発泡された発泡断熱材と、冷蔵庫本体側壁を形成する前記内箱と外箱との間に配設された真空断熱パネルとを備えた冷蔵庫において、前記外箱に貼付される前記真空断熱パネルに向けて延びた前記補強部材の側片の上端部を切除したことを特徴とする。
【０００７】
第２の発明は、開口縁に内側に折り曲げてフランジが形成された外箱と、前記フランジの内面に当接されて前記外箱に固定される補強部材と、内箱と、この内箱と前記外箱との間に充填発泡された発泡断熱材と、冷蔵庫本体側壁を形成する前記内箱と外箱との間に配設された真空断熱パネルとを備えた冷蔵庫において、前記補強部材の前記外箱に接する側片の上端部を切除したことを特徴とする。
【０００８】
また第３の発明は、開口縁に内側に折り曲げてフランジが形成された外箱と、前記フランジの内面に当接されて前記外箱に固定される補強部材と、内箱と、この内箱と前記外箱との間に充填発泡された発泡断熱材と、冷蔵庫本体側壁を形成する前記内箱と外箱との間に配設された真空断熱パネルとを備えた冷蔵庫において、前記補強部材の前記外箱に接する側片の上部を上端部から下方に向かうに従って切除部が少なくなるように斜めに切除したことを特徴とする。
【０００９】
更に第４の発明は、後面開口縁及び下端に内側に折り曲げて裏フランジ及び下フランジが形成された外箱と、前記裏フランジ内面及び下フランジ内面に当接されて前記外箱に固定固定片と前記外箱内面に当接される当接片を有する補強部材と、内箱と、この内箱と前記外箱との間に充填発泡された発泡断熱材と、冷蔵庫本体側壁を形成する前記内箱と外箱との間に配設された真空断熱パネルとを備えた冷蔵庫であって、前記補強部材の前記外箱内面に当接される当接片の上部を上端部から下方に向かうに従って切除部が少なくなるように斜めに切除したことを特徴とする。
【発明の効果】
【００１０】
本発明によれば、補強部材を外箱に取り付ける際に、この補強部材が外箱内面に貼付されてある真空断熱パネルを傷つけないようにし、断熱効果が維持できる冷蔵庫を提供できる。
【発明を実施するための最良の形態】
【００１１】
以下、本発明を実施するための最良の形態について、図１及び図２を参照しながら説明する。２１は両側板２１ａ及び天板２１ｂよりなる正面視コ字形状の外箱で、この外箱２１の後面開口縁には内側に折り曲げて裏フランジ２２が形成されている。また、両側板２１ａの下端部も内側に折り曲げて下フランジ２３が形成されている。
【００１２】
そして、露付防止用放熱パイプ２４が外箱２１の内面、即ち両側板２１ａの後面開口縁近傍位置に、また天板２１ｂにテープ２５により貼付されている。また、外箱２１の両側板２１ａの内面に真空断熱パネル２６がそれぞれ貼付されている。
【００１３】
この真空断熱パネル２６の袋は、ガスバリア性（ガス遮断性の高い）を有し、ヒートシール可能で、コア材を収納して内部を真空に維持できるものが適している。即ち、この袋は、例えばガスバリアフィルムから構成され、外側から例えば衝撃緩和のための保護層、アルミ蒸着ＰＥＴ（ポリエチレン・テレフタレート）層などからなるガスバリア層、熱溶着のシール層などから構成されて、これら各層は接着剤で接着固定される。
【００１４】
３０は外箱２１の両側板２１ａの下部を補強するための補強部材で、後部補強部３１と下部補強部３２とを有して概ねＬ字形状を呈する。前記各後部補強部３１は、断面形状が概ねＬ字形状を呈し、外箱２１の後面開口縁に内側に折り曲げて形成された裏フランジ２２に当接してビス３３を介して固定される固定片３１Ａと、外箱２１の両側板２１ａ内面に当接する当接片３１Ｂとを備えている。また、前記各下部補強部３２は、断面形状が概ねＬ字形状を呈し、外箱２１の両側板２１ａの下端部を内側に折り曲げて形成された下フランジ２３に当接してビス３３を介して固定される固定片３２Ａと、外箱２１の両側板２１ａ内面に当接する当接片３２Ｂとを備えている。
【００１５】
そして、前記各後部補強部３１の両側板２１ａに当接する当接片３１Ｂの上部に略三角形状の切除部３１Ｃを形成する。即ち、前記外箱２１内面に貼付された前記真空断熱パネル２６に向けて延びた前記補強部材３０の当接片３１Ｂの上部を上端部から下方に向かうに従って切除部が少なくなるように斜めに切除して形成する。
【００１６】
なお、前記補強部材３０が断面がコ字形状に形成されている場合には、前記外箱２１内面に貼付された前記真空断熱パネル２６に向けて延びた両側片の上部を上端部から下方に向かうに従って切除部が少なくなるように斜めに切除して形成してもよい。
【００１７】
これにより、補強部材３０を外箱２１に取り付ける際に、この補強部材３０が外箱２１内面に貼付されてある真空断熱パネル２６を傷つけないようにし、断熱効果が維持できる。即ち、補強部材３０の前記各後部補強部３１の当接片３１Ｂを外箱２１の両側板２１ａ内面に当接させると共に前記各下部補強部３２の当接片３２Ｂを同じく外箱２１の両側板２１ａ内面に当接させ、また前記各後部補強部３１の固定片３１Ａを裏フランジ２２内面に当接させてビス３３を介して固定すると共に前記各下部補強部３２の固定片３２Ａを下フランジ２３内面に当接させてビス３３を介して固定する際に、前記当接片３１Ｂ上部に形成した切除部３１Ｃにより外箱２１内面に貼付されてある真空断熱パネル２６を避けて補強部材３０を外箱２１に固定できるので、この真空断熱パネル２６を傷つけず、断熱効果が維持できる。
【００１８】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【図面の簡単な説明】
【００１９】
【図１】補強部材の取付を示す斜視図である。
【図２】補強部材の拡大斜視図である。
【図３】従来の補強部材の取付を示す斜視図である。
【図４】従来の補強部材の取付状態を示す断熱箱体の横断平面図である。
【符号の説明】
【００２０】
２１            外箱
２１ａ          側板
２１ｂ          天板
２２            裏フランジ
２３            下フランジ
２６            真空断熱パネル
３０            補強部材
３１            後部補強部
３１Ａ          固定片
３１Ｂ          当接片
３１Ｃ          切除部
３２            下部補強部
３２Ａ          固定片
３２Ｂ          当接片
【図１】
2006097904.tif 000003
【図２】
2006097904.tif 000004
【図３】
2006097904.tif 000005
【図４】
2006097904.tif 000006